(57)【特許請求の範囲】
【請求項１】
音声を入力するマイクロホンと、少なくとも前記マイクロホンが装着される装着部を有する筐体とを備えた音響装置であって、
弾性体によって形成され、前記マイクロホンの外周面に接触して前記マイクロホンを保持する第一保持部と、
前記第一保持部の硬度よりも高い硬度を有する弾性体によって形成され、前記第一保持部のうち、少なくとも前記マイクロホンの音声導入側の反対側を覆って前記第一保持部を保持する第二保持部と、
前記マイクロホンに接続される配線と、
前記第一保持部に形成され、前記マイクロホンから離間する方向に延び、前記配線が嵌め込まれる配線溝と
を備え、
前記装着部は、
前記マイクロホンが保持された前記第一保持部を保持した前記第二保持部を装着することを特徴とする音響装置。
【請求項２】
前記第一保持部は、前記第二保持部のうち、前記マイクロホンの音声導入側の反対側を閉塞する閉塞面の少なくとも一部に対して、対向する端面である対向面を有し、
前記配線溝は、前記閉塞面の少なくとも一部から前記対向面へ向かう方向へ向けて、前記対向面から凹む凹部であることを特徴とする請求項１に記載の音響装置。
【請求項３】
前記第二保持部に対して、前記マイクロホンとは反対側となる位置で、前記筐体に装着され、前記配線が接続される電気基板を備えたことを特徴とする請求項１又は２に記載の音響装置。
【請求項４】
前記第一保持部のうち、前記マイクロホンの外周面に接触する筒状の部分が、前記筐体と離間していることを特徴とする請求項１から３のいずれかに記載の音響装置。
【請求項５】
前記第二保持部のうち前記マイクロホンの音声導入側の反対側を閉塞する閉塞面の少なくとも一部と、前記第一保持部に保持された前記マイクロホンとが離間していることを特徴とする請求項１から４のいずれかに記載の音響装置。
【請求項６】
前記第二保持部は、
前記閉塞面から前記マイクロホン側へ突出する突出部を備えたことを特徴とする請求項５に記載の音響装置。
【請求項７】
前記筐体は、
音声を出力するスピーカを装着するスピーカ装着部を備えたことを特徴とする請求項１から６のいずれかに記載の音響装置。
【請求項８】
前記第二保持部は、前記装着部に圧入されることで前記装着部に装着されることを特徴とする請求項１から７のいずれかに記載の音響装置。
【発明の詳細な説明】
【技術分野】
【０００１】
本発明は、音声を入力するマイクロホンを備えた音響装置に関する。
【背景技術】
【０００２】
従来、マイクロホンを備えた音響装置において、マイクロホンに入力される音声の品質低下の原因となる不要な振動の影響を低下させる技術が知られている。例えば、特許文献１が開示している拡声電話機では、マイクロホンはゴムケースに覆われた状態で筐体に装着される。筐体の振動は、マイクロホンに直接伝播せずに、ゴムケースを介してマイクロホンに伝播する。
【先行技術文献】
【特許文献】
【０００３】
【特許文献１】特開平１０−１０７８９２号公報
【発明の概要】
【発明が解決しようとする課題】
【０００４】
音響装置においてマイクロホンに伝播する不要な振動には、固体を介して伝播する振動と、気体を介して伝播する振動がある。固体の振動を減衰させ易い物質の硬度と、気体の振動を減衰させ易い物質の硬度とは異なる。よって、従来の音響装置は、固体を介して伝播する不要な振動の影響と、気体を介して伝播する不要な振動の影響とが共に低下するようにマイクロホンを装着することは困難であった。
【０００５】
本発明は、固体を介して伝播する不要な振動の影響と、気体を介して伝播する不要な振動の影響とが共に低下するようにマイクロホンを装着することができる音響装置を提供することを目的とする。
【課題を解決するための手段】
【０００６】
本発明に係る音響装置は、音声を入力するマイクロホンと、少なくとも前記マイクロホンが装着される装着部を有する筐体とを備えた音響装置であって、弾性体によって形成され、前記マイクロホンの外周面に接触して前記マイクロホンを保持する第一保持部と、前記第一保持部の硬度よりも高い硬度を有する弾性体によって形成され、前記第一保持部のうち、少なくとも前記マイクロホンの音声導入側の反対側を覆って前記第一保持部を保持する第二保持部と、前記マイクロホンに接続される配線と、前記第一保持部に形成され、前記マイクロホンから離間する方向に延び、前記配線が嵌め込まれる配線溝とを備え、前記装着部は、前記マイクロホンが保持された前記第一保持部を保持した前記第二保持部を装着することを特徴とする。
【０００７】
本発明に係る音響装置では、マイクロホンを保持する第一保持部の硬度が、第二保持部の硬度よりも低い。硬度の低い弾性体は、固体の振動を減衰させやすい。さらに、第一保持部は、筐体に直接装着されずに、第二保持部に保持された状態で筐体に装着される。従って、音響装置は、筐体等の固体を介してマイクロホンに伝播する不要な振動の影響を、効率よく低下させることができる。また、第二保持部は、第一保持部のうち、マイクロホンの音声導入側の反対側を覆う。第二保持部の硬度は第一保持部の硬度よりも高い。硬度の高い弾性体は、気体の振動を減衰させやすい。従って、第二保持部は、空気等の気体を介してマイクロホンに伝播する不要な振動の影響を、効率よく低下させることができる。よって、本発明に係る音響装置は、固体を介して伝播する不要な振動の影響と、気体を介して伝播する不要な振動の影響とを共に低下させつつマイクロホンを装着することができる。
また、前記第一保持部は、前記第二保持部のうち、前記マイクロホンの音声導入側の反対側を閉塞する閉塞面の少なくとも一部に対して、対向する端面である対向面を有し、前記配線溝は、前記閉塞面の少なくとも一部から前記対向面へ向かう方向へ向けて、前記対向面から凹む凹部であってもよい。
また、前記第二保持部に対して、前記マイクロホンとは反対側となる位置で、前記筐体に装着され、前記配線が接続される電気基板を備えてもよい。
【０００８】
前記第一保持部のうち、前記マイクロホンの外周面に接触する筒状の部分が、前記筐体と離間していてもよい。この場合、マイクロホンを保持する筒状の部分と筐体との間に隙間が生じるため、筐体の振動が筒状の部分に直接伝播することが無い。従って、音響装置は、筐体を介してマイクロホンに伝播する不要な振動の影響を、より効率よく低下させることができる。
【０００９】
前記第二保持部のうち前記マイクロホンの音声導入側の反対側を閉塞する閉塞面の少なくとも一部と、前記第一保持部に保持された前記マイクロホンとが離間していてもよい。この場合、第二保持部の閉塞面とマイクロホンは密着せず、両者の間に空間が生じる。従って、音響装置は、第二保持部からマイクロホンに振動が伝播することを抑制することができる。よって、音圧および筐体の振動によって第二保持部が振動しても、マイクロホンには影響を与え難い。
【００１０】
前記第二保持部は、前記閉塞面から前記マイクロホン側へ突出する突出部を備えてもよい。突出部は、第一保持部によって保持されたマイクロホンの姿勢を維持することができ、マイクロホンが第一保持部から離脱することも防止できる。
【００１１】
前記筐体は、音声を出力するスピーカを装着するスピーカ装着部を備えてもよい。この場合、音響装置は、スピーカから生じる不要な振動がマイクロホンに与える影響を低下させつつ、音声の入出力を行うことができる。
【００１２】
前記第二保持部は、前記装着部に圧入されることで前記装着部に装着されてもよい。第一保持部の硬度は第二保持部の硬度よりも低いため、第一保持部を装着部に直接圧入するだけでは、マイクロホンの姿勢は安定し難い。しかし、音響装置は、硬度が高い第二保持部で第一保持部を保持し、第二保持部を圧入によって装着部に装着することで、不要な振動の影響を低下させつつ、容易且つ強固にマイクロホンを保持することができる。
【図面の簡単な説明】
【００１３】
【図１】音響装置１を右斜め前方から見た斜視図である。
【図２】音響装置１を左斜め後方から見た斜視図である。
【図３】正面筐体３の内部を左斜め後方から見た斜視図である。
【図４】背面筐体３０を右斜め前方から見た斜視図である。
【図５】第一保持部４０、マイクロホン３７、および第二保持部５０を左斜め後方から見た分解斜視図である。
【図６】第一保持部４０、マイクロホン３７、および第二保持部５０を右斜め前方から見た分解斜視図である。
【図７】第一保持部４０、マイクロホン３７、および第二保持部５０が組み付けられた状態の斜視図である。
【図８】図１におけるＡ−Ａ線矢視方向断面図である。
【発明を実施するための形態】
【００１４】
以下、本発明の一実施形態について、図面を参照して説明する。本発明は、マイクロホンを装着する種々の音響装置に適用できる。以下では、ユーザが音声通話を行う際に、通信を行う通信装置（図示せず）に接続された状態で使用される音響装置１（所謂スピーカフォン）を例示して説明を行う。具体的には、音響装置１は、ＰＣ、携帯電話等に接続される。接続された通信機器によって受信された音声データに従って、音声を出力する。また、音響装置１は、設置された拠点の音声を集音する。集音した音声の音声データは、通信機器によって他の拠点に送信される。よって、ユーザは、音響装置１を用いることで、遠隔地のユーザとの間でハンズフリーの通話を行うことができる。
【００１５】
図１から図４を参照して、音響装置１の全体構成について説明する。図１および図４の左手前側、右奥側、右手前側、左奥側は、それぞれ、音響装置１の正面側（前方）、背面側（後方）、右側、左側である。図２および図３の右奥側、左手前側、左奥側、右手前側は、それぞれ、音響装置１の正面側、背面側、右側、左側である。
【００１６】
図１に示すように、音響装置１は、略直方体状の筐体２を備える。筐体２は、マイクロホン３７およびスピーカ２７等を装着し、音響装置１全体を支持する。筐体２は、正面筐体３と背面筐体３０とを備える。
【００１７】
正面筐体３について説明する。正面筐体３は、正面壁４、上壁５、右側壁６、底壁７（図３参照）、および左側壁８（図２および図３参照）を備える。正面壁４は、音響装置１の正面側を覆う略矩形の板状部材である。上壁５は、正面壁４の上端縁部から後方に延びる。同様に、右側壁６は正面壁４の右端縁部から、底壁７は正面壁４の下端縁部から、左側壁８は正面壁４の左端縁部から、それぞれ後方に延びる。
【００１８】
正面壁４の略中央には、円形のスピーカ開放孔９が形成されている。スピーカ開放孔９は、筐体２の内部に装着されたスピーカ２７の前方を開放させる。スピーカ２７は、スピーカ開放孔９から前方へ向けて音声を出力する。正面壁４の右上部には、円形のマイクロホン開放孔１０が形成されている。マイクロホン開放孔１０は、筐体２の内部に装着されたマイクロホン３７の前方を開放させる。マイクロホン３７は、マイクロホン開放孔１０を通じて前方から音声を入力する。つまり、本実施形態におけるマイクロホン３７の音声導入側は、音響装置１の前側である。
【００１９】
正面壁４には、後方にやや凹んだ正面視矩形の凹部１１が設けられている。凹部１１は、スピーカ開放孔９よりも上下方向の幅が長く、且つ、正面壁４の左右に亘って形成されている。図示しないが、凹部１１には、網状のカバー部材が配置される。スピーカ２７およびマイクロホン３７の正面は、カバー部材によって保護される。
【００２０】
図２に示すように、上壁５には４つのスイッチ１２が設けられている。左側壁８には、上から順に、ヘッドフォンジャック１３、スマートフォンジャック１４、およびＵＳＢジャック１５が設けられている。４つのスイッチ１２および３つのジャック１３〜１５は、筐体２の内部に装着された電気基板１６（図８参照）に実装されている。なお、音響装置１の利用形態等に応じて、スイッチおよびジャックの種類、数、位置等は適宜設定すればよい。
【００２１】
図３に示すように、正面壁４の背面における４つの角の各々には、第一ねじ穴１７が設けられている。正面壁４の中心部からは、スピーカ２７の周囲を取り囲むように、背面視略矩形のリブ１８が背面側へ延びている。リブ１８の内側は、スピーカ２７を装着するスピーカ装着部２５となる。リブ１８の前後方向の長さは一定であり、リブ１８の背面側端部は同一平面上に位置する。リブ１８の右下（図３の左下）には、スピーカ２７と電気基板１６とを接続する配線（図示せず）を通す切り欠き（図示せず）が形成されている。切り欠きには、配線を通した後で、リブ１８の内部を閉塞するための閉塞部材２８が装着される。閉塞部材２８は、ゴム等の弾性部材によって形成されればよい。正面壁４の背面のうち、リブ１８の内側における４つの角の各々には、第二ねじ穴１９が設けられている。正面壁４におけるマイクロホン開放孔１０の背面側には、マイクロホン３７を装着する装着部２０が設けられている。装着部２０の詳細は後述する。さらに、正面筐体３の背面側には、電気基板１６（図８参照）およびスピーカ２７を固定するための複数のねじ穴等が設けられているが、これらの説明は省略する。
【００２２】
背面筐体３０について説明する。図２に示すように、背面筐体３０は背面視略矩形である。背面筐体３０の外周縁の形状と、正面筐体３の外周縁の形状は一致する。従って、背面筐体３０が正面筐体３の背面側に装着されると、筐体２の内部が覆われる。背面筐体３０の上下左右は、中央に近づく程後方に向けて膨らむように滑らかに湾曲している。背面筐体３０の背面側の中心には、背面視略Ｕ字状のスタンド３１が設けられている。スタンド３１は、左右方向に延びる回転軸を中心として回転可能に背面筐体３０に軸支されている。スタンド３１の位置は、筐体２から離間して筐体２を支持する支持位置（図２に示す位置）と、筐体２の背面に近接する収納位置との間で切り替えられる。
【００２３】
図４に示すように、背面筐体３０の４つの角の各々には、第一ねじ挿入孔３２が形成されている。ねじ（図示せず）が、背面筐体３０の背面側から第一ねじ挿入孔３２に挿入されて、正面筐体３の第一ねじ穴１７（図３参照）に締め付けられることで、正面筐体３と背面筐体３０とが固定される。
【００２４】
背面筐体３０の中心部からは、正面視略矩形のリブ３３が正面側へ延びている。リブ３３の前後方向の長さは一定であり、リブ３３の正面側端部は同一平面上に位置する。正面視において、リブ３３の位置および形状は、正面筐体３のリブ１８（図３参照）の位置および形状と一致する。背面筐体３０のうち、リブ３３の内側における４つの角の各々には、第二ねじ挿入孔３４が形成されている。正面筐体３と背面筐体３０とを固定する場合、作業者は、正面筐体３のリブ１８と背面筐体３０のリブ３３との間に、矩形環状の弾性部材（例えばゴム）を挟み込む。次いで、ねじ（図示せず）を、背面筐体３０の背面側から第二ねじ挿入孔３４に挿入し、リブ１８の角の近傍に設けられた第二ねじ穴１９（図３参照）に締め付ける。その結果、正面筐体３の正面壁４と、リブ１８と、閉塞部材２８（図３参照）と、リブ３３と、背面筐体３０の本体の壁面とによって、スピーカ２７の後方の周囲を取り囲む閉塞空間が形成される。閉塞空間が形成されることで、スピーカ２７が出力する音声の品質が向上する。さらに、筐体２内の空気を介してスピーカ２７からマイクロホン３７に伝わる振動が減衰し、マイクロホン３７が入力する音声の品質が向上する。
【００２５】
なお、図２に示す状態では、第二ねじ穴１９の背面側は、ねじが締め付けられた後でシールによって閉塞されている。また、リブ３３の正面視における位置および形状と、リブ１８の正面視における位置および形状とは、完全に一致している必要は無い。正面筐体３と背面筐体３０とを固定した場合に、スピーカ２７を取り囲む閉塞空間が形成される構成であれば、マイクロホン３７が入力する音声の品質は向上する。例えば、リブ１８の背面側端部の全面と、リブ３３の正面側端部の全面とが完全に一致していなくても、一致部分がスピーカ２７の全周を取り囲むように環状または開環状に形成されれば、閉塞空間は形成される。また、本実施形態では、リブ１８の前後方向の長さは、正面筐体３の前後方向の厚みに略一致する。同様に、リブ３３の前後方向の長さは、背面筐体３０の前後方向の厚みに略一致する。よって、正面筐体３と背面筐体３０とを固定すると、リブ１８とリブ３３とが弾性部材を介して接触し、閉塞空間が形成される。しかし、リブ１８およびリブ３３の長さは適宜変更でき、正面筐体３および背面筐体３０の厚みに依存させる必要はない。また、リブ１８およびリブ３３の一方のみを形成し、形成したリブの前後方向の長さを本実施形態よりも長く形成することで、閉塞空間を形成してもよい。
【００２６】
図３、および図５から図８を参照して、マイクロホン３７を筐体２に装着するための構造について説明する。図５および図６に示すように、音響装置１は、第一保持部４０および第二保持部５０を備える。マイクロホン３７は、第一保持部４０によって保持される。第二保持部５０は、マイクロホン３７が保持された第一保持部４０を保持し、正面筐体３の装着部２０に装着される。
【００２７】
マイクロホン３７について説明する。本実施形態で用いられるマイクロホン３７は、小型のコンデンサマイクロホンである。マイクロホン３７の本体は、所定の厚みを有する円板状である。図５に示すように、マイクロホン３７の本体の背面には、配線３９が接続される。図６に示すように、マイクロホン３７の本体の正面は音声導入面３８である。音声導入面３８には複数の孔が形成されている。
【００２８】
第一保持部４０について説明する。図５および図６に示すように、第一保持部４０は、基部４１と筒部４６とを備える。基部４１は、第二保持部５０によって保持される部位である。本実施形態における基部４１の形状は、所定の厚みを有する矩形板状の部材のうち、左上部の角部が斜めに切り取られ、且つ、左下部の角が直角に切り取られた形状である。
【００２９】
図５に示すように、基部４１には、マイクロホン３７を後方から筒部４６に嵌め込むための挿通孔４２が形成されている。本実施形態の挿通孔４２は、マイクロホン３７を容易に挿通できるように、マイクロホン３７の本体よりも径が大きい円形に形成されている。しかし、挿通孔４２の形状は適宜変更できる。例えば、挿通孔４２は矩形でもよい。基部４１のうち、挿通孔４２の周囲の３箇所には、基部４１を前後方向に貫通する位置決め孔４３が形成されている。位置決め孔４３の位置および数も変更できる。
【００３０】
基部４１の下部には、マイクロホン３７の配線３９を第一保持部４０の内側から外側へ通すための配線溝４４が形成されている。配線溝４４は、挿通孔４２から基部４１の下端まで真っ直ぐに延びる。配線溝４４は、内側に配線３９が密着するように形成されている。詳細は後述するが、第一保持部４０は、第二保持部５０の硬度よりも低い硬度を有する弾性体によって形成される。従って、配線溝４４の内側と配線３９とが密着し易い。よって、配線溝４４を第二保持部５０でなく第一保持部４０に形成することで、配線溝４４の内側と配線３９との間の隙間を狭くしつつ、マイクロホン３７の配線３９を電気基板１６（図８参照）に接続することができる。その結果、筐体２（図１および図２参照）の内部の空気の振動がマイクロホン３７に与える影響は、配線溝４４を第二保持部５０に形成する場合に比べて低下する。
【００３１】
図５および図６に示すように、筒部４６は、基部４１から正面側に突出する円筒状の部位である。筒部４６の中心軸は、基部４１に設けられた挿通孔４２の中心軸と一致する。筒部４６の内径は、円板状であるマイクロホン３７の径と同一、または、マイクロホン３７の径よりもやや小さい。従って、弾性を有する筒部４６は、軽圧入等によってマイクロホン３７を内部に保持できる。また、図８に示すように、筒部４６の外径は、正面筐体３に形成されたマイクロホン開放孔１０の径よりも小さい。よって、マイクロホン開放孔１０の内縁部は、筒部４６から離間する。
【００３２】
筒部４６の先端には、円環状の抜け止め部４７が設けられている。抜け止め部４７の内径は、マイクロホン３７の径よりも小さい。従って、抜け止め部４７は、マイクロホン３７の音声導入面３８を正面側に露出させた状態で、マイクロホン３７が筒部４６から正面側に抜け出ることを防止することができる。なお、筒部４６が本発明の「筒状の部分」に相当する。
【００３３】
第二保持部５０について説明する。図５および図６に示すように、第二保持部５０の形状は、所定の厚みを有する矩形板状の部材のうち、左上部の角が斜めに切り取られた形状である。図６に示すように、第二保持部５０の正面側には、第一保持部４０を保持するための凹部５１が形成されている。正面視において、凹部５１の形状は、第一保持部４０の基部４１の外形と同一、または、基部４１の外形よりもやや小さい。凹部５１を形成する面のうち、前後方向に垂直な底面は、マイクロホン３７の音声導入面３８の反対側を閉塞する閉塞面５２となる。
【００３４】
閉塞面５２の中央部からは、下部に配線挿通用の切り欠き５４を備えた開環状の突出部５３が、正面側へ向けて突出している。閉塞面５２の下端には、底面視Ｕ字状の配線誘導部５５が設けられている。第一保持部４０の配線溝４４（図５参照）を通る配線３９は、突出部５３の切り欠き５４から配線誘導部５５へ至る。突出部５３の外径は、第一保持部４０の挿通孔４２（図５参照）の径と同一、または、挿通孔４２の径よりもやや大きい。従って、第一保持部４０が第二保持部５０の凹部５１に嵌め込まれた場合、配線挿通口５４以外では第一保持部４０と第二保持部５０との間の隙間は生じ難い。さらに、前述したように、第一保持部４０の配線溝４４（図５参照）の内側は、配線３９に密着し易い。従って、突出部５３の内側に形成される空間の気密性が保たれ易い。突出部５３の内径は、マイクロホン３７の径よりも小さい。従って、突出部５３の正面側の先端面の一部は、マイクロホン３７における音声導入面３８の反対側の面に接触する。
【００３５】
閉塞面５２のうち、突出部５３の周囲の３箇所には、正面側に向けて突出する円柱状の位置決め突起５７が設けられている。３つの位置決め突起５７の位置は、第一保持部４０の位置決め孔４３の位置に対応する。位置決め突起５７の径は、位置決め孔４３の径と同一、または、位置決め孔４３の径よりも大きい。また、図５に示すように、第二保持部５０の中央部には、他の部分よりも厚みが大きい円形の肉厚部５８が形成されている。肉厚部５８は、突出部５３（図６参照）の背面側に位置する。
【００３６】
第一保持部４０および第二保持部５０の材質について説明する。第一保持部４０および第二保持部５０は、弾性体によって形成される。第二保持部５０の材質の硬度は、第一保持部４０の材質の硬度よりも高い。本実施形態では、第一保持部４０および第二保持部５０はゴムによって形成される。より具体的には、第一保持部４０には、ショアＡの硬度規格に準拠した硬度がＡ５０°のシリコンゴムが用いられている。第二保持部５０には、ショアＡに準拠した硬度がＡ７０°のシリコンゴムが用いられている。しかし、第一保持部４０および第二保持部５０の材質は適宜変更できる。例えば、弾性を有する合成樹脂、スポンジ等を用いて第一保持部４０および第二保持部５０を形成してもよい。なお、第一保持部４０および第二保持部５０の最適な硬度は、スピーカ２７とマイクロホン３７の距離、筐体３の材質等に応じて変化する。よって、第一保持部４０および第二保持部５０の硬度は、最適な硬度を適宜設定すればよい。
【００３７】
マイクロホン３７、第一保持部４０、および第二保持部５０を組み付ける工程について説明する。まず、作業者は、第一保持部４０にマイクロホン３７を保持させる。詳細には、図５に示すように、作業者は、マイクロホン３７が抜け止め部４７に接触するまで、第一保持部４０の筒部４６の内側にマイクロホン３７を圧入する。さらに、配線３９を、第一保持部４０の配線溝４４に嵌め込む。その結果、マイクロホン３７が第一保持部４０に保持される。
【００３８】
次いで、作業者は、マイクロホン３７が保持された第一保持部４０を、第二保持部５０に保持させる。詳細には、図６に示すように、作業者は、第一保持部４０の基部４１の形状と、第二保持部５０の凹部５１の形状とが一致するように、第一保持部４０と第二保持部５０の角度および位置を合わせる。基部４１および凹部５１の形状は、上下非対称且つ左右非対称である。よって、作業者は、第一保持部４０と第二保持部５０の角度および位置を容易に合わせることができる。次いで、基部４１を凹部５１に押し込む。その結果、基部４１が凹部５１に圧入されて、第一保持部４０が第二保持部５０に保持される。なお、３つの位置決め突起５７は、３つの位置決め孔４３に嵌まり込む。さらに、突出部５３は挿通孔４２に嵌まり込む。よって、第一保持部４０は、基部４１および凹部５１のみに保持される場合に比べて、より強固に第二保持部５０に保持される。以上の工程によって、図７に示すように、マイクロホン３７、第一保持部４０、および第二保持部５０が組み付けられる。
【００３９】
図３を参照して、マイクロホン３７を装着する装着部２０について説明する。正面筐体３におけるマイクロホン開放孔１０の背面側には、マイクロホン３７を装着する装着部２０が設けられている。装着部２０は、正面壁４から背面側へ突出する装着用リブ２１を備える。装着用リブ２１は、正面筐体３の右側壁６の上端部近傍から左方へ延び、下方へ屈曲し、さらに右方へ屈曲して右側壁６へ至る。装着用リブ２１の下部には、マイクロホン３７の配線３９を通す切り欠き２２が形成されている。
【００４０】
装着用リブ２１と右側壁６とによって囲まれる部分の形状は、第二保持部５０の外形と同一、または、第二保持部５０の外形よりもやや小さい。作業者は、マイクロホン３７、第一保持部４０、および第二保持部５０を組み付けた状態で、マイクロホン３７の音声導入面３８（図７参照）を正面側に向けて、第二保持部５０を装着部２０に背面側から押し込んで圧入する。その結果、第二保持部５０が装着部２０に嵌まり込み、マイクロホン３７が装着部２０に装着される。
【００４１】
音響装置１において発生する不要な振動がマイクロホン３７の入力音声に与える影響について説明する。音響装置１は、マイクロホン３７とスピーカ２７を共に筐体２に装着する。従って、スピーカ２７が音声を出力すると、筐体２の内部の空気が振動する場合がある。つまり、音圧が発生する場合がある。しかし、図８に示すように、マイクロホン３７の音声導入面３８の反対側は、第二保持部５０によって覆われる。第二保持部５０は、第一保持部４０の硬度よりも高い硬度を有する弾性体によって形成されている。硬度の高い弾性体は、気体を伝播経路とする振動を減衰させやすい。従って、音響装置１は、筐体２の内部の空気の振動がマイクロホン３７に与える影響を低下させることができる。
【００４２】
また、スピーカ２７の振動、音響装置１の設置場所の振動等によって、固体である筐体２が振動する場合もある。しかし、図８に示すように、マイクロホン３７は、第二保持部５０よりも硬度の低い第一保持部４０によって保持される。硬度の低い弾性体は、固体を伝播経路とする振動を減衰させやすい。さらに、第一保持部４０は、筐体２に直接装着されずに、第二保持部５０に保持された状態で筐体２の装着部２０（図３参照）に装着される。従って、第一保持部４０が筐体２に直接装着される場合に比べて、第一保持部４０と筐体２の接触面積が減少しており、筐体２の振動は第一保持部４０に伝わり難い。よって、音響装置１は、筐体２を介してマイクロホン３７に伝播する不要な振動の影響を、効率よく低下させることができる。以上のように、音響装置１は、第一保持部４０および第二保持部５０を用いることで、固体を介して伝播する不要な振動の影響と、気体を介して伝播する不要な振動の影響とを共に低下させつつ、マイクロホン３７を装着することができる。
【００４３】
図８に示すように、マイクロホン３７を保持する第一保持部４０は、基部４１の正面側端部の一部において筐体２に接触するのみである。マイクロホン３７の外周面に接触する筒部４６は、筐体２に形成されたマイクロホン開放孔１０の内縁部と離間している。従って、筐体２の振動が筒部４６に直接伝播することが無い。よって、音響装置１は、筐体２を介してマイクロホン３７に伝播する不要な振動の影響を、より効率よく低下させることができる。
【００４４】
図８に示すように、第二保持部５０のうち、マイクロホン３７の音声導入面３８の反対側を閉塞する閉塞面５２と、第一保持部４０に保持されたマイクロホン３７とが離間している。その結果、マイクロホン３７と閉塞面５２の間に空間が生じている。従って、音響装置１は、第二保持部５０からマイクロホン３７に振動が伝播することを抑制することができる。よって、音圧および筐体２の振動によって第二保持部５０が振動しても、マイクロホン３７には影響を与え難い。
【００４５】
図３に示すように、第二保持部５０が装着部２０に装着されると、第二保持部５０の上下左右の全周が、配線３９を通す部分を除いて、装着用リブ２１および右側壁６によって隙間無く覆われる。従って、筐体２の内部の気体の振動は、第二保持部５０の周囲から音声導入面３８側に回り込み難い。また、図８に示すように、第二保持部５０のうち、マイクロホン３７の背面側の部分には、肉厚部５８が形成されている。よって、第二保持部５０は、マイクロホン３７と閉塞面５２との間に空間を設けて固体の振動の影響を低下させつつ、気体の振動の影響を肉厚部５８によってさらに低下させることができる。
【００４６】
図８に示すように、閉塞面５２からマイクロホン３７側へ突出部５３が突出している。よって、音響装置１に強い衝撃が加わった場合等でも、マイクロホン３７が突出部５３に接触するため、マイクロホン３７の姿勢が維持される。マイクロホン３７が第一保持部４０から離脱することも防止できる。また、硬度の低い第一保持部４０を筐体２に直接圧入するだけでは、マイクロホン３７の姿勢は安定し難い、しかし、音響装置１では、硬度が高い第二保持部５０によって第一保持部４０が保持されて、第二保持部５０が圧入によって装着部２０に装着される。よって、作業者は、容易且つ強固にマイクロホン３７を筐体２に装着することができる。つまり、音響装置１は、不要な振動がマイクロホン３７に与える影響を効率よく低下させつつ、簡易な構成で安定してマイクロホン３７を保持することができる。
【００４７】
本発明は上記実施形態に限定されることはなく、様々な変形が可能であることは言うまでもない。まず、各部位の具体的な形状は変更できる。例えば、第一保持部４０の筒部４６（図６から図８参照）は、内周面の形状および外周面の形状が共に円筒状であり、内周面にマイクロホン３７を保持する。しかし、外周面の形状が角筒状でもよい。マイクロホン３７の外形が円板状でなく直方体形状である場合には、筒部４６の内周面の形状を角筒状としてもよい。つまり、第一保持部４０は、マイクロホン３７の外周面に接触してマイクロホン３７を保持できる形状を有していればよい。
【００４８】
上記実施形態で使用されるマイクロホン３７は、所定の厚みを有する円板状である。しかし、使用するマイクロホン３７を変更できることは言うまでもない。例えば、音声導入面が半球状に形成されたマイクロホンを用いても、本発明は実現できる。
【００４９】
上記実施形態では、図６に示すように、第一保持部４０に３つの位置決め孔４３が設けられ、第二保持部５０に３つの位置決め突起５７が設けられる。位置決め孔４３に位置決め突起５７が挿入されることで、第一保持部４０が第二保持部５０によって強固に保持される。しかし、位置決め孔４３および位置決め突起５７の数を変更してもよい。第一保持部４０に位置決め突起５７を形成し、且つ第二保持部５０に位置決め孔４３を形成してもよい。位置決め孔４３は、部材を貫通する孔とせずに、有底の穴としてもよい。位置決め孔４３および位置決め突起５７を形成せずに、第二保持部５０に第一保持部４０を保持させることも可能である。
【００５０】
上記実施形態の突出部５３は、図６に示すように、配線挿通用の切り欠き５４を一部に備えた開環状に形成されている。従って、突出部５３は、マイクロホン３７の背面の周縁部に接触し、マイクロホン３７の姿勢を強固に保持できる。さらに、振動を減衰させるための空間が、突出部５３の内側に形成される。しかし、突出部５３の形状も変更できる。例えば、突出部５３は、１または複数の柱状の突起であってもよい。また、突出部５３とマイクロホン３７は、常に接触している必要は無い。つまり、突出部５３は、マイクロホン３７の姿勢が変化した場合にのみマイクロホン３７に接触する形状であっても、マイクロホン３７の姿勢を維持することができる。また、図８に示すように、マイクロホン３７に対する振動の影響を低下させるためには、第二保持部５０の閉塞面５２とマイクロホン３７とを離間させて空間を形成することが望ましい。しかし、第二保持部５０とマイクロホン３７を接触させることも可能である。この場合、第二保持部５０に突出部５３を形成しなくても、マイクロホン３７の姿勢は維持される。
【００５１】
上記実施形態では、図５に示すように、硬度の低い第一保持部４０に配線溝４４が形成されることで、配線溝４４の内側と配線３９とが密着し易くなり、空気を伝播経路とする振動が減衰される。しかし、配線３９を電気基板１６へ誘導するための構成も変更できる。例えば、配線溝４４を第二保持部５０に形成することも可能である。溝でなく孔に配線３９を挿通させてもよい。
【００５２】
上記実施形態では、第二保持部５０が装着部２０に圧入されることで、マイクロホン３７が筐体２に装着される。よって、作業者は、マイクロホン３７を容易に筐体２に装着することができる。しかし、第二保持部５０を筐体２に装着する方法も変更できる。例えば、第二保持部５０は、ねじ、クリップ等によって筐体２に装着されてもよい。
【００５３】
上記実施形態の音響装置１は、スピーカ２７とマイクロホン３７を共に装着する。音響装置１は、本発明に係る構成を備えることで、スピーカ２７から生じる不要な振動がマイクロホン３７に与える影響を低下させつつ、音声の入出力を円滑に実行できる。しかし、本発明は、少なくともマイクロホン３７を備えた音響装置であれば適用することができる。例えば、他のスピーカの装着および取り外しが可能な音響装置、他のスピーカの近傍で使用される音響装置等に本発明を適用すれば、固体の振動の影響と気体の振動の影響とを共に減衰させることができるため、特に顕著な効果を奏することができる。
【符号の説明】
【００５４】
１    音響装置
２    筐体
３    正面筐体
１０    マイクロホン開放孔
２０    装着部
２５    スピーカ装着部
３０    背面筐体
３７    マイクロホン
３８    音声導入面
４０    第一保持部
４１    基部
４６    筒部
５０    第二保持部
５２    閉塞面
５３    突出部
【図１】
0005900121.tif 000002
【図２】
0005900121.tif 000003
【図３】
0005900121.tif 000004
【図４】
0005900121.tif 000005
【図５】
0005900121.tif 000006
【図６】
0005900121.tif 000007
【図７】
0005900121.tif 000008
【図８】
0005900121.tif 000009